(57)【要約】      （修正有）【課題】供物用具をそれぞれの正規位置に配置することができるとともに、この神棚をセットとしてお祭りをするに際して、不慣れな者でも供物用具を正規の位置に簡易に再配置することができる神殿載置型の神棚セットを提供する。【解決手段】神棚本体１２と、その神棚本体１２を装飾祭事するために神棚本体近接して配置される供物用具２０と、前記神棚本体１２や供物用具２０を収納する略箱型状に形成された木枠部１１と、を備えた神棚セット１０であって、木枠部１１の基板部１３上もしくは前記神棚本体１２に供物用具２０をそれぞれの所定位置に対応して設定するための位置固定部が設けられている。【選択図】図５
0003160643.tif 000002
【実用新案登録請求の範囲】
【請求項１】
神棚本体と、その神棚本体を装飾祭事するために神棚本体近接して配置される供物用具と、
前記神棚本体や供物用具を収納する略箱型状に形成された木枠部と、
を備えた神棚セットであって、
前記木枠部の基板部上もしくは前記神棚本体に前記供物用具をそれぞれの所定位置に対応して設定するための位置固定部が設けられて構成されていることを特徴とする神棚セット。
【請求項２】
前記位置固定部が、前記供物用具の各底部に設けられ丸形や四角形、三角形などのそれぞれ異なる横断面を有する凸状の雄嵌合部と、各供物用具の位置に対応して前記基板部もしくは神棚本体に設けられ前記雄嵌合部が挿入固定される雌嵌合部とからなることを特徴とする請求項１に記載の神棚セット。
【請求項３】
前記位置固定部が、前記供物用具の各底部にそれぞれ設けられた被磁着部と、各供物用具の位置に対応して前記基板部もしくは前記神棚本体に設けられた磁石部とからなることを特徴とする請求項１又は２に記載の神棚セット。
【請求項４】
前記木枠部の基板部上もしくは前記神棚本体への前記供物用具の装着状態を検知するセンサが前記位置固定部にそれぞれ設けられ、前記センサからの信号を取得して前記供物用具の配置状態に応じて前記木枠部に設けた神棚照明装置や音響装置を制御する制御部を備えて構成されることを特徴とする請求項１〜３のいずれかに記載の神棚セット。
【考案の詳細な説明】
【技術分野】
【０００１】
本考案は、神棚本体と供物用具を一体的にセットにした神棚セットに関し、詳しくは、様式の配列で、基板に神棚本体や供物用具を確実に着設するとともに、基板から容易に神棚本体や供物用具を離脱することができる神棚セットに関する。
【背景技術】
【０００２】
神棚は、神棚本体の周囲に、お供え物用の供物用具（例えば、水入れ、榊立て、灯ろう、ローソク立て、三宝、二枚足、八足台など）とが並べられて配置され、セットしてお祭りされる。しかし、最近の住宅事情では神棚のお祭りに大きなスペースを割くことは難しく、簡易に神棚を祭ることが要請されるようになっている。
【０００３】
このような簡易形の神棚として、吊り紐や吊り金具を有する額縁式の神棚や、神棚本体の背面に設けられた係止金具によって壁板に掛け止めされる形式のものが知られており、例えば特許文献１（実用新案登録第３０７９４４２号公報）には、家具等の上に載置する鳥居付きの形態の据え置き型神棚が記載されている。
【先行技術文献】
【特許文献】
【０００４】
【特許文献１】実用新案登録第３０７９４４２号公報
【考案の概要】
【考案が解決しようとする課題】
【０００５】
しかし、このような神棚本体や供物用具は、従来、それぞれ独立して製造販売されており、また店頭においても独立して陳列されており、使用者が、神棚本体に併せて供物用具を適宜購入しなければならず、どのような供物用具を購入すべきか迷う場合がある。
また、神棚を清掃した後に再配置する場合に、供物用具の配置が分からなくなり、元の位置に戻せなくなるという問題がある。
さらに、神棚本体に供物用具を配置して店頭に陳列しておく場合に、店員が供物用具の配置を知らない場合がある。また、店頭に陳列しておくと子供などがさわって配置がかわる場合がある。
すなわち、神棚本体に供物用具を配置する際には、風習等の差はあるものの一定の並べ方があり、不慣れな者にとっては置く順序がわからなかったり、間違えたりすることがあった。
【０００６】
本考案は前記従来の課題を解決するためになされたもので、供物用具をそれぞれの正規位置に配置することができるとともに、この神棚をセットとしてお祭りをするに際して、
不慣れな者でも供物用具を正規の位置に簡易に再配置することができる神殿載置型の神棚セットを提供することを目的とする。
【課題を解決するための手段】
【０００７】
（ａ）前記課題を解決するためになされた本考案の神棚セットは、
神棚本体と、その神棚本体を装飾祭事するために神棚本体近接して配置される供物用具と、
前記神棚本体や供物用具を収納する略箱型状に形成された木枠部と、
を備えた神棚セットであって、
前記木枠部の基板部上もしくは前記神棚本体に前記供物用具をそれぞれの所定位置に対応して設定するための位置固定部が設けられて構成されていることを特徴とする。
【０００８】
（ｂ）本考案の神棚セットは、前記（ａ）記載の神棚セットにおいて、前記位置固定部が、前記供物用具の各底部に設けられ丸形や四角形、三角形などのそれぞれ異なる横断面を有する凸状の雄嵌合部と、各供物用具の位置に対応して前記基板部もしくは神棚本体に設けられ前記雄嵌合部が挿入固定される雌嵌合部とからなることを特徴とする。
【０００９】
（ｃ）本考案の神棚セットは、前記（ａ）又は（ｂ）記載の神棚セットにおいて、
前記位置固定部が、前記供物用具の各底部にそれぞれ設けられた被磁着部と、各供物用具の位置に対応して前記基板部もしくは前記神棚本体に設けられた磁石部とからなることを特徴とする。
【００１０】
（ｄ）本考案の神棚セットは、前記（ａ）〜（ｃ）のしずれかに記載の神棚セットにおいて、
前記木枠部の基板部上もしくは前記神棚本体への前記供物用具の装着状態を検知するセンサが前記位置固定部にそれぞれ設けられ、前記センサからの信号を取得して前記供物用具の配置状態に応じて前記木枠部に設けた神棚照明装置や音響装置を制御する制御部を備えて構成されることを特徴とする。
【考案の効果】
【００１１】
本考案の神棚本体と供物用具、木枠部とで一体的に構成される神棚セットによれば、前記木枠部の基板部上もしくは前記神棚本体に前記供物用具をそれぞれの所定位置に対応して設定する位置固定部が設けられているので、不慣れな者でも供物用具をそれぞれの正規位置に安定して配置できる。また、地震などの場合においても供物用具がばらばらになって落下することもなく安全である。
【図面の簡単な説明】
【００１２】
【図１】実施例１の神棚セットの正面図である。
【図２】実施例１の神棚セットの取り付け状態を示す斜視図である。
【図３】実施例１の棚セットの取り外し状態を示す斜視図である。
【図４】実施例１の神棚セットの供物用具の配置を示す斜視図である。
【図５】実施例１の神棚セットの構成を示す断面説明図である。
【図６】実施例２の神棚セットの説明図である。
【考案を実施するための形態】
【００１３】
本考案の実施形態に係る神棚セットは、社殿などを模した神棚本体と、その神棚本体を装飾祭事するための供物用食器や鳥居などの供物用具を神棚本体近接して配置し、
それらを略箱型状に形成された木枠部に収納し、
さらに、木枠部の基板部上もしくは神棚本体に、供物用具をそれぞれの所定位置に対応して設定するための位置固定部が設けられて構成されている。
このような構成によって、不慣れな者でも供物用具をそれぞれの正規位置に安定して、しかも容易に配置できる。
加えて、この神棚本体、供物用具、木枠部からなる神棚セットを、天井近くの桟や鴨居などに取り付けるに際して、木枠部を介して天井や側壁に配置でき、神棚本体の廻りに配置された種々の供物用具を、神棚本体と一体的に確実に配設することができる。
【００１４】
神棚本体は、神社を摸した小型の宮形の中に、伊勢神宮や氏神、神札などを入れるもので、これは狭義には（札宮）神棚と呼ばれる。また、神札よりも神の依り代としての意味合いが強い「御神体」をまつる神棚もある。狭義の神棚は、できるだけ明るく清浄な場所に置くことが望ましく、最上階の天井近くに南向きまたは東向きに設置するのが良いとされる。最上階の設置が困難な場合は「天」または「雲」や「空」と書いた紙を天井に貼り、その下に設置する。神札を納める宮形には神札を入れる箇所が３カ所のものと１カ所のものが多く、大型の神棚では５カ所以上のものもある。通常、３カ所ある場合は、中央に伊勢神宮の神札、向かって右に氏神の神札、左にその他の崇敬する神社の神札を納める。1カ所の場合は前から伊勢神宮・氏神・崇敬神社の神札の順に重ねて納める。
【００１５】
供物用具は、神棚をお祀りする際にお供えを入れる器などの必要最低限の用具であり、例えば、水を入れる水玉（水器）、酒を入れる瓶子（平子）、米や塩を盛る皿（平瓮）などが挙げられる。
また、これら供物を収容した供物用食器を運んだり、神棚へ供える霊供膳として、折敷や三方なども挙げられる。
水玉は略球形状をしており、瓶子はひょうたん形状をし、これらは安定性が悪く転倒しやすい。このため、折敷や三方などの霊供膳に、載置して運ぶ場合には、転倒しないようにかなりの注意力を要するが、本考案の実施形態に係る神棚セットは、供物用具のそれぞれに対応する位置固定部が神棚本体や木枠部の基板に設けられており、供物用具を極めて容易に基板に固定することができるのである。
さらに、供物用具としては、神鏡や鳥居などの神具なども含まれる。
神棚の正面には神鏡、左右に榊、灯ろうを配し、神棚の前方に注連縄をかける。
この他、真榊、雄蝶・雌蝶といった御酒口をあつらえた飾り徳利、御幣（金幣）、破魔矢や熊手などの縁起物なども供物用具に含まれる。
さらに、神棚外側に張られる垂れ幕なども供物用具に含まれる。
なお、陶器製についてはその下の窪みに粘着性のシートを貼り付けて、粘着性のシートを介して基板に固定することもできる。
【００１６】
木枠部は、神棚本体と供物用具とをその基板部に載置して固定されるように、全体が略箱型状に組み込まれて形成された木製枠体である。神棚セットは木枠部を介して部屋内の天井近くに木製または金属製、プラスチック製などの係止具を用いて取り付けることができるようになっている。
このような木枠部の基板部上もしくは神棚本体に、供物用具をそれぞれに固有の所定位置に配置するための位置固定部が設けられており、これによって、供物用具が必要に応じて着脱自在に配置される。
【００１７】
本実施形態の神棚セットは、位置固定部として、供物用具の各底部に凸状の雄嵌合部を設け、この雄嵌合部を各供物用具の位置に対応して基板部もしくは神棚本体に設けられた雌嵌合部に挿入して固定することもできる。
雄嵌合部としては、丸形や四角形、三角形などのそれぞれ異なる横断面を有するものが挙げられ、これら雄嵌合部と雌嵌合部との対を形成することによって、各供物用具と神棚セット内の各配置位置とを対応付けて、不慣れな者でも供物用具の配置を間違えることなく正しくかつ容易に設定することができる。
【００１８】
さらに、本実施形態の神棚セットは、位置固定部が供物用具の各底部にそれぞれ設けられた被磁着部と、各供物用具の位置に対応して基板部もしくは神棚本体に設けられた磁石部とからなるように構成することもできる。
これによって、供物用具の着脱を容易にすることができ、嵌合部が凹凸状になって見栄えなどが悪くなるということもなく、供物用具を基板部に固定する際や日々の神棚清掃などにおける供物用具の取り外しの利便性を高めることができる。
被磁着部としては、供物用具の底部に磁石部の形状に合わせて形成した鉄板状のものや、シート状磁石などを用いることで、特定の供物用具と、その配置位置とを正確に特定することができる。
【００１９】
本実施形態の神棚セットは、木枠部の基板部上もしくは神棚本体への供物用具の装着状態を検知するセンサが位置固定部にそれぞれ設けら、センサからの信号を取得して供物用具の配置状態に応じて木枠部に設けた神棚照明装置や音響装置を制御する制御部を備えるように構成することもできる。
これによって、神棚本体などに取り付けられた供物用具の配置構成に応じて、神棚本体内やその周辺などに設けた神棚照明装置や音響装置の駆動パターンを設定することができる。例えば、御神酒を入れる瓶子と、こめを盛った皿などの左右位置を交換することで、音響装置の効果音やスポット照明を変えて設定することによって、精神的な雰囲気を効果的に演出することができる。また、灯ろうなどの移動をセンサにより検知したことを契機として雅楽音等を再生することにより、祭神を連想させるような効果音を発生させるようなこともできる。
【００２０】
供物用具の装着状態を検知するためのセンサは、木枠部の基板部上もしくは神棚本体への供物用具の装着状態を検知するためのリミットスイッチや磁気センサなどであって、供物用具がその所定位置に正しく位置付けられると、このセンサ信号を制御部に送信する機能を備える。
制御部は、神棚本体を荘厳に演出して維持するための照明装置や音響装置を予め設定されたプログラムにしたがって制御する装置である。なお、音響装置には、再生音のデータが記録媒体に保存されており、その内容を書き換えることにより、再生される音データを適宜変更できる。また、照明装置の装飾用電灯は、再生される音や日付、時間、神棚付近の明るさなどの周辺状況に応じて照明方法を変更することもできる。
【実施例１】
【００２１】
本考案の神棚セットに係る実施例１について、図面を参照しつつさらに具体的に説明する。
実施例１の神棚セット１０は、図１〜図５に示すように、全体が箱状をなす木枠部１１と、木枠部１１内に収納、固定される宮形に形成された神棚本体１２とを備えている。
神棚本体１２は、水平方向に延びる木枠部１１の帯板状に形成された基板部１３上に一体的に立設されている。
そして、図４、図５に示すように、基板部１３や神棚本体１２には、各種の供物用具２０が雄嵌合部及び雌嵌合部の対からなる位置固定部を介して着脱して設定できるようになっている。
【００２２】
木枠部１１は、図１、図３などに示すように、その前面が開放されると共に後部が天井面から懸吊される左右一対の支柱部１４及び支柱部１４下部に渡設された棚板１５を介して取り付けられている。
木枠部１１の壁面への固定手段としては、例えば、支柱部１４の後壁部を貫通して壁面にねじ込まれる複数のボルトなどが使用される。また、壁面に植設されたフックなどに木枠部１１の後背部に設けたフック係合部を係止させるようにしてもよい。
【００２３】
木枠部１１は、その間口に対して奥行きが小さい箱形状となっており、この木枠部１１に収まるように宮形の形態をなす神棚本体１２もその前後幅が狭く構成されている。
木枠部１１は、その内部を上側の神棚本体１２を載置するエリアと、その下側手前の供物用具２０を載置するエリアとに区画されており、供物用具２０を載置する薄板状の基板部１３が、木枠部１１の前方側に張り出すように構成されている。
【００２４】
図４に示すように、供物用具２０は、供物用食器や垂れ幕などを含むものであって、例えば供物用食器は一般的に流通している神具のものと特に変わるところはなく、水玉２１、瓶子２２、２３、皿２４、２５などが含まれる。
【００２５】
水玉２１は、水を入れる容器であって蓋を有した略球形状のものである。また二つの瓶子２２、２３は、酒を入れる蓋を有したひょうたん形状であり、皿２４、２５は米及び塩を盛るための円形小皿状のものである。
【００２６】
なお、神棚本体１２や供物用具２０を配置する基板部１３には、それぞれの供物用具を配置するための位置固定部が設けられている。
すなわち、位置固定部として、供物用具２０底部の雄嵌合部２０ａと、これに対応した基板部１３の雌嵌合部１３ａとが設けられている。位置固定部となる供物用具２０底部の雄嵌合部２０ａは、それぞれの雄嵌合部２０ａの横断面形状を○（丸）や△（三角）、□（四角）とすることによって、それぞれの挿入位置を特定することができる。例えば，神鏡の底部には△（三角）の雄嵌合部とし、基板部１３同じ△（三角）の雌嵌合部を設けておく。
こうして、特定の供物用具には他の供物用具の雄嵌合部が挿入されないように雄嵌合部の形状、サイズなどをそれぞれ固有のものとして異ならせている。
【００２７】
なお、榊立て（花瓶）、酒壺、ローソク立て、などの陶器は木製ではないので、これらの底部の窪みなどに鉄板などの強磁性体を取り付け、基板部に埋め込んだ磁石に吸着させるようにすることができる。あるいは、鉄板などの強磁性体のかわりに粘着性のシートを貼り付けて、それで基板部に固定するようにしてもよい。
【００２８】
以上のように、各供物用具２０の雄嵌合部１３を、これに対応した基板部１３の雌嵌合部１３ａに挿入して配置することにより、実施例１の神棚セット１０が構成される。
この場合、それぞれ供物用具２０の名称などを記載しておいてもよく設置位置を間違うことがない。
【００２９】
こうして、図４に示されるように、各供物用具２０は、それぞれの位置固定部に固定されているため、安定がよく、転倒のおそれもなく、供物用食器などは綺麗に順番通り配列される。
【００３０】
実施例１の神棚セットは、神棚本体と供物用具を並べてホームセンターなどで販売することができる。こうして、セット販売による売り上げ増を図ることができるとともに、ホームセンターでの陳列方法を神棚としての本来の配置に合致させることができる。
さらに、各供物用具が安定的に配置されるので、子供がさわって配置を変えてしまうようなこともなく陳列のメンテナンスも省力化することができる。
【実施例２】
【００３１】
実施例２の神棚セット３０は図６に示すように、神棚本体３１、全体が略箱型状に形成された木枠部３２とを備えている。そして、供物用具３３をその正規位置に設定するための位置固定部は、供物用具３３各底部の被磁着部３４と、これら各供物用具の位置に対応して基板部３５もしくは神棚本体３１に設けられた磁石部３６とからなる。
このような木枠部３２の基板部３５もしくは神棚への供物用具３３の装着状態を検知するためのリミットスイッチや磁気センサなどのセンサ３７が位置固定部にそれぞれ設けられ、センサ３７からの電気信号を取得して前記供物用具の配置状態に応じて木枠部３２に設けた神棚照明装置３８や音響装置などの演出機器を制御するための制御部３９が設けられている。
なお、制御部３９には必要に応じて、拝礼者を検知する赤外線センサや、マイクロフォン、ビデオカメラなどの各種の図示しないセンサ群を神棚セット３０内もしくはその周辺に接続して用いることもできる。
【００３２】
なお、図中では磁石部及び被磁着部を両者が嵌合する凹凸状に形成しているが、これらの設置接触部分を凹凸のない平板状にしておくことで、その位置固定状態を確実に維持するとともに、嵌合部にゴミなどが溜まらず清掃性のよいものとすることもできる。
【００３３】
神棚セット３０の制御システムは、図６に示すように、コンピュータなどからなる制御部３９と、センサ３７と、スピーカ、装飾用電灯などの神棚照明装置３８や音響装置などにより構成されており、これらの各構成要素はそれぞれに接続されている。
また、これら以外の周辺部材として電源部や配線ケーブルなどが設けられている。この電源部は、家庭用コンセントに接続するタイプの他に、乾電池や充電池などのバッテリや、光発電モジュールを利用した電源などを用いることが可能である。
【００３４】
制御部３９について説明すると、このものはセンサ３７からの信号に応じて、スピーカよりそのメモリ部に記憶されている音データの再生と、装飾用電灯などの発光を制御するためのものであり、複数の半導体もしくはこれらと半導体チップとを組み合わせて構成されているものである。
またこの制御部３９は、各供物用具に対応した位置のセンサ３７２５による信号を受けて演算処理等を行い、所定の機能を管理運用する。この制御部３９は、その取付けに関して、装飾用電灯や賽銭箱、三方（三宝）、八足台などの内部に納められたタイプを用いたり、神棚本体３１奥方などの比較的目立たない場所に取り付けることが望ましい。
【００３５】
位置固定部に配置するセンサ３７は、神棚照明装置３８や音響装置を駆動させるための検知信号を制御部３９に対して発信するための機器である。更に礼拝者の所定の変化を感知するための赤外線センサを具える構成であっても差し支えない。各センサは制御部３９に対して検知信号を発する。またこの所定の変化とは、一例として拝礼動作を感知した場合などで、例えば、神棚の前に拝礼者が一定時間立ち止まったことや拍手の音などを感知したなどである。これらのセンサ群としては、音センサや、動きを感知できるカメラユニットなどが相当する。もちろんこの所定の変化には、拝礼行為に関わらず目覚まし時計のように指定の時刻になるとともに再生信号を送るようなタイマー制御にしても差し支えない。
【００３６】
家庭内において日常行われる拝礼は神道の信仰に基づく神棚が用いられることが多い。この神棚に関しても、従来から日常の拝礼行為に対してより精神的な充足感を得られるような工夫が求められてきた。実施例２の神棚セットによれば、その供物用具の配置形態などに応じて神棚に各種の演出効果を付与する機能を具えており、例えば祭神を連想させるような効果音や照明パターンなどを発生させることにより、従来の神棚よりも精神的な充足感を得ることができる。
【符号の説明】
【００３７】
１０    実施例１の神棚セット
１１    木枠部
１２    神棚本体
１３    基板部
１３ａ  雌嵌合部
１４    支柱部
１５    棚板
２０    供物用具
２０ａ  雄嵌合部
２１    水玉
２２、２３    瓶子
２４、２５    皿
３０    実施例２の神棚セット
３１    神棚本体
３２    木枠部
３３    供物用具
３４    被磁着部
３５    基板部
３６    磁石部
３７    センサ
３８    神棚照明装置
３９    制御部
【図４】
0003160643.tif 000003
【図５】
0003160643.tif 000004
【図６】
0003160643.tif 000005
【図１】
0003160643.tif 000006
【図２】
0003160643.tif 000007
【図３】
0003160643.tif 000008